(57)【要約】【課題】  外壁パネルの裏面側から施工することができない場合でも簡単且つ確実に外壁パネルを取り付けることができ、垂直柱などの他の要素と無関係に固定することができる外壁パネル固定具及び外壁パネル固定方法を提供する。【解決手段】外壁パネル固定具は、一方の外壁パネルの側端面に設けられた第一フランジに当接し当該第一フランジに固定される第一固定プレート、及び第一固定プレートから他方の外壁パネル側に突出するとともにネジ孔が形成されたネジ孔プレートを有する第一固定部と、他方の外壁パネルの側端面に設けられた第二フランジに当接し当該第二フランジに固定される第二固定プレート、及び第二固定プレートから一方の外壁パネル側に突出してネジ孔プレートに重なり、ネジ孔に整合する挿入孔が形成された挿入孔プレートを有する第二固定部と、挿入孔に挿通し、ネジ孔に螺合する連結ボルトと、を備える。【選択図】図１
2018053565.tif 000002
【特許請求の範囲】
【請求項１】
互いに隣接する一方の外壁パネルに他方の外壁パネルを固定する外壁パネル固定具であって、
前記一方の外壁パネルの側端面に設けられた第一フランジに当接し当該第一フランジに固定される第一固定プレート、及び前記第一固定プレートから前記他方の外壁パネル側に突出するとともにネジ孔が形成されたネジ孔プレートを有する第一固定部と、
前記他方の外壁パネルの側端面に設けられた第二フランジに当接し当該第二フランジに固定される第二固定プレート、及び前記第二固定プレートから前記一方の外壁パネル側に突出して前記ネジ孔プレートに重なり、前記ネジ孔に整合する挿入孔が形成された挿入孔プレートを有する第二固定部と、
前記挿入孔に挿通し、前記ネジ孔に螺合する連結ボルトと、を備えることを特徴とする外壁パネル固定具。
【請求項２】
前記挿入孔は鉛直方向に長い長穴であることを特徴とする請求項１に記載の外壁パネル固定具。
【請求項３】
互いに隣接する２つの外壁パネルのうち、既に固定されている一方の外壁パネルに、請求項１又は請求項２に記載の外壁パネル固定具を用いて、他方の外壁パネルを固定する外壁パネル固定方法であって、
前記一方の外壁パネルの側端面に設けられている前記第一フランジに前記第一固定部の前記第一固定プレートを固定する工程と、
前記他方の外壁パネルの側端面に設けられている前記第二フランジに前記第二固定部の前記第二固定プレートを固定する工程と、
前記他方の外壁パネルを前記一方の外壁パネルに隣接するように配置し、前記ネジ孔プレートと前記挿入孔プレートとが互いに重なり合うとともに前記ネジ孔と前記挿入孔とを整合させる工程と、
前記一方の外壁パネルと前記他方の外壁パネルとの間に形成された縦目地から連結ボルトを挿入し、当該連結ボルトを前記挿入孔に挿通させて前記ネジ孔に螺合させて締結し、前記第一固定部と前記第二固定部とを接合する工程と、
を有することを特徴とする外壁パネル固定方法。
【発明の詳細な説明】
【技術分野】
【０００１】
本発明は、互いに隣接する一方の外壁パネルに他方の外壁パネルを固定する外壁パネル固定具、及び当該外壁パネル固定具を用いた外壁パネル固定方法に関する。
【背景技術】
【０００２】
従来より、外壁パネルを施工する場合に、外壁パネルの裏面側からボルトなどで外壁パネルを固定する工法が用いられている。しかし、例えば、外壁パネルの裏面が閉塞されている場合のように外壁パネルの裏面側から直接作業することができない場合には、上述のような工法で外壁パネルを固定することができない。
【０００３】
そこで、例えば特許文献１には、一部の出隅コーナー部分を残して先に取り付けた外壁パネルに、受け金具を前記出隅コーナー部分に臨むようにして取り付けるとともに、最後に取り付ける出隅コーナーパネルを外方から押し込んでその内面側下端を受け金具に係合させるようにした外壁パネルの取付構造が開示されている。
【０００４】
この構成は、出隅コーナーパネルを外方から押し込んで、その内面側下端を受け金具に係合させるようになっているので、最後に取り付ける出隅コーナーパネルの内面側が閉塞されてしまう状況にあっても、最後に取り付ける出隅コーナーパネルの下端をその内面側においてボルトの締め付け作業を伴わずに簡単に支持することができるものである。
【０００５】
また、特許文献２には、垂直柱の外周に外壁パネルを取り付けてピロティ柱を形成する構造であって、垂直柱に固定した受け金具に、出隅用の外壁パネルの裏面側に固定した取付金具本体を外壁パネル間の縦目地の奥でボルト固定する外壁パネル取付構造が開示されている。このように構成することで縦目地からボルト及びレンチなどの工具を挿入して締め付けることで外壁パネルを固定することができ、内面側が閉塞された状態であっても、縦目地からの操作のみで外壁パネルを固定することができる。
【先行技術文献】
【特許文献】
【０００６】
【特許文献１】特開平１１−３４３６９１号公報
【特許文献２】特開２０１２−９２５８５号公報
【発明の概要】
【発明が解決しようとする課題】
【０００７】
しかし、特許文献１の外壁パネルの取付構造は、出隅コーナーパネルを外方から押し込んで、その内面側下端を受け金具に係合させているだけであるので、十分な固定とはなっておらず、別途梁などの躯体に取り付ける必要がある。また、特許文献２の外壁パネル取付構造は、垂直柱に予め受け金具を取り付けておく構成であるので、垂直柱が設けられていない箇所には設置することができず、また、垂直柱の形状に応じて様々な形状の受け金具が必要となるため、汎用性に欠ける問題もある。
【０００８】
そこで、本発明は、外壁パネルの裏面側から施工することができない場合でも簡単且つ確実に外壁パネルを取り付けることができ、垂直柱などの他の要素と無関係に固定することができる外壁パネル固定具及び外壁パネル固定方法を提供することを目的とする。
【課題を解決するための手段】
【０００９】
本発明の第１の外壁パネル固定具は、互いに隣接する一方の外壁パネルに他方の外壁パネルを固定する外壁パネル固定具であって、前記一方の外壁パネルの側端面に設けられた第一フランジに当接し当該第一フランジに固定される第一固定プレート、及び前記第一固定プレートから前記他方の外壁パネル側に突出するとともにネジ孔が形成されたネジ孔プレートを有する第一固定部と、前記他方の外壁パネルの側端面に設けられた第二フランジに当接し当該第二フランジに固定される第二固定プレート、及び前記第二固定プレートから前記一方の外壁パネル側に突出して前記ネジ孔プレートに重なり、前記ネジ孔に整合する挿入孔が形成された挿入孔プレートを有する第二固定部と、前記挿入孔に挿通し、前記ネジ孔に螺合する連結ボルトと、を備えることを特徴としている。
【００１０】
本発明の第２の外壁パネル固定具は、前記挿入孔は鉛直方向に長い長穴であることを特徴としている。
【００１１】
本発明の第３の外壁パネル固定方法は、互いに隣接する２つの外壁パネルのうち、既に固定されている一方の外壁パネルに、請求項１又は請求項２に記載の外壁パネル固定具を用いて、他方の外壁パネルを固定する外壁パネル固定方法であって、前記一方の外壁パネルの側端面に設けられている前記第一フランジに前記第一固定部の前記第一固定プレートを固定する工程と、前記他方の外壁パネルの側端面に設けられている前記第二フランジに前記第二固定部の前記第二固定プレートを固定する工程と、前記他方の外壁パネルを前記一方の外壁パネルに隣接するように配置し、前記ネジ孔プレートと前記挿入孔プレートとが互いに重なり合うとともに前記ネジ孔と前記挿入孔とを整合させる工程と、前記一方の外壁パネルと前記他方の外壁パネルとの間に形成された縦目地から連結ボルトを挿入し、当該連結ボルトを前記挿入孔に挿通させて前記ネジ孔に螺合させて締結し、前記第一固定部と前記第二固定部とを接合する工程と、を有することを特徴としている。
【発明の効果】
【００１２】
本発明の第１の外壁パネル固定具によると、一方の外壁パネルに他方の外壁パネルを固定する外壁パネル固定具であって、一方の外壁パネルに固定される第一固定部と、他方の外壁パネルに固定される第二固定部と、が連結ボルトによって連結されることで、一方の外壁パネルに他方の外壁パネルが固定されるので、外壁パネルの裏面側に垂直柱などの固定された材がない場合でも、隣接する外壁パネルに固定することができる。また、一方の外壁パネルの側端部から他方の外壁パネルに向かって突出するねじ孔プレートと、他方の外壁パネルの側端部から一方の外壁パネルに向かって突出する挿入孔プレートとが重なって、ねじ孔及び挿入孔が整合するので、一方の外壁パネルの側端部と他方の外壁パネルの側端部との間の縦目地の奥にねじ孔及び挿入孔が露出するので、ボルト及びボルトを回転させるレンチなどの工具とを縦目地から挿入して作業することができ、外壁パネルの裏側が閉塞された状態であっても縦目地からの操作のみで外壁パネルを固定することができる。
【００１３】
第２の外壁パネル固定具によると、挿入孔が鉛直方向に長い長穴であるので、連結ボルトを挿入孔に挿入し、ネジ孔に螺着させた状態で、他方の外壁パネルの位置調整することができる。
【００１４】
第３の外壁パネル固定方法によると、まず、一方の外壁パネルの側端面に設けられている第一フランジに第一固定部の第一固定プレートを固定し、他方の外壁パネルの側端面に設けられている第二フランジに第二固定部の第二固定プレートを固定しておき、その後、他方の外壁パネルを一方の外壁パネルに隣接するように配置し、ネジ孔プレートと挿入孔プレートとが互いに重なり合うとともにネジ孔と挿入孔とを整合させて、一方の外壁パネルと他方の外壁パネルとの間に形成された縦目地から連結ボルトを挿入し、当該連結ボルトを挿入孔に挿通させてネジ孔に螺合させて締結して、第一固定部と前記第二固定部とを接合することにより一方の外壁パネルに他方の外壁パネルを固定するので、外壁パネルの裏面側が閉塞されている場合でも縦目地からの作業のみで外壁パネルを固定することができる。また、一方の外壁パネルに他方の外壁パネルを固定する構成であるので、垂直柱などの固定された材がない場合でも外壁パネルを簡単に固定することができる。
【図面の簡単な説明】
【００１５】
【図１】外壁パネル固定具の外観構成を示す斜視図。
【図２】外壁パネル固定具を用いて外壁パネルを固定した状態を示す図。
【図３】外壁パネル固定方法において、一方の外壁パネルの第一フランジに第一固定部を固定し、他方の外壁パネルの第二フランジに第二固定部を固定する前の状態を示す図。
【図４】外壁パネル固定方法において、一方の外壁パネルの第一フランジに第一固定部を固定し、他方の外壁パネルの第二フランジに第二固定部を固定した状態を示す図。
【図５】外壁パネル固定方法において、他方の外壁パネルを一方の外壁パネルに隣接するように配置し、ネジ孔プレートと挿入孔プレートとが互いに重なり合うように配置した状態を示す図。
【図６】縦目地から連結ボルト及び工具を挿入して連結ボルトを挿入孔に挿入させてネジ孔に螺合させて締結し、第一固定部と第二固定部とを接合した状態を示す図。
【図７】変形例の外壁パネル固定具及び外壁パネル固定構造を説明する分解図。
【図８】変形例の外壁パネル固定具及び外壁パネル固定構造の一方の外壁パネルに他方の外壁パネルを固定した状態を示す図。
【発明を実施するための形態】
【００１６】
以下、本発明に係る外壁パネル固定具１及び外壁パネル固定方法の最良の実施形態について、各図を参照しつつ説明する。本実施形態の外壁パネル固定具１は、図１及び図２に示すように、例えばピロティ柱３の外周に設けられる外壁パネル２ａ，２ｂを固定する外壁パネル固定具１である。本発明の外壁パネル固定具１は、外壁パネル２ａ，２ｂの裏面側が閉塞される場所において外壁パネル２ａ，２ｂを固定する外壁パネル固定具１として好適であるが、外壁パネル固定具１は、ピロティ柱３の外周に設けられるものに限定されるものではなく、建物の一般的な外壁部や出隅部、袖壁部、ピロティ壁などの外壁パネル２ａ，２ｂを固定する外壁パネル固定具１として利用することができる。
【００１７】
外壁パネル２ａ，２ｂは、図２に示すように、水平方向の断面を上から見た場合に直角に折れ曲がるパネル本体２１と、パネル本体２１の裏面側の側端面に設けられるフランジ２２とから構成されている。パネル本体２１は、窯業系、樹脂系、木質系、金属系などのどのような材料で形成されたものであっても良く、本実施形態においてはピロティ柱３の外表面の４分の１を覆う。フランジ２２は、たとえば平板状の鋼材を折り曲げて形成した長手鋼材であって、パネル本体２１の裏面に図示しないビス等で固定される固定部２３と、固定部２３から折れ曲がってパネル本体２１の側端面と面一に、当該パネル本体２１から柱奥方向に延びる鍔部２４と、鍔部２４から更に折り曲げられる折端部２５とを有しており、鍔部２４には、連結ボルト４を挿入する固定孔が形成されている。以下、本実施形態においては、互いに隣接する外壁パネル２ａ，２ｂのうち、既に固定されている外壁パネルを一方の外壁パネル２ａといい、当該一方の外壁パネル２ａに本実施形態の外壁パネル固定具１を用いて固定する外壁パネルを他方の外壁パネル２ｂという。また、一方の外壁パネル２ａのフランジ２２を第一フランジ２２ａといい、他方の外壁パネル２ｂのフランジ２２を第二フランジ２２ｂという。なお、一方の外壁パネル２ａと他方の外壁パネル２ｂ、及び第一フランジ２２ａと第二フランジ２２ｂは同様の構成である。
【００１８】
また、本実施形態においては、ピロティ柱３の外周に固定される４つの外壁パネル２ａ，２ｂの内、２つの外壁パネルが固定された状態で、３つ目の外壁パネルとして他方の外壁パネル２ｂを固定する構成を説明している。例えば４つ目の外壁パネルは例えば図示しない梁から垂下させる等のように他の固定方法によって固定されていてもよく、または、４つ目の外壁パネルも本実施形態の外壁パネル固定具１によって固定するものであっても良い。
【００１９】
外壁パネル固定具１は、図１に示すように、一方の外壁パネル２ａの側端面に設けられた第一フランジ２２ａに固定される第一固定部５と、他方の外壁パネル２ｂの側端面に設けられた第二フランジ２２ｂに固定される第二固定部６と第一固定部５及び第二固定部６を連結する連結ボルト４とを備えている。
【００２０】
第一固定部５は、矩形の平板の両側端をそれぞれ逆方向に曲げて形成したものであって、平板状の第一固定プレート５１と、第一固定プレート５１の一端から一方向に折り曲げられて形成されたネジ孔プレート５２と、第一固定プレート５１の他端から他方向に折り曲げられて形成された第一位置決め部５３と、を有している。第一固定プレート５１は中央に第一貫通孔５４が形成されており、この第一貫通孔５４に第一の固定用ボルト５５を挿入している。図２に示すように、第一の固定用ボルト５５を第一貫通孔５４と第一フランジ２２ａに設けられた固定孔２６とに挿通した状態で第一の固定用ナット５６を締結して固定し、第一固定部５を第一フランジ２２ａに固定する。第一の固定用ボルト５５は低頭ボルトが好ましい。
【００２１】
ネジ孔プレート５２には略中央に連結ボルト４が螺合することができるネジ孔５７が設けられている。また、第一位置決め部５３は、第一固定プレート５１のネジ孔プレート５２と逆側の端部を当該ネジ孔プレート５２とは逆方向に折り曲げた平板状であり、第一位置決め部５３を第一フランジ２２ａの折端部２５に当接させ、第一固定プレート５１を鍔部２４に当接させると、第一貫通孔５４と固定孔２６とが整合するように配置されている。
【００２２】
第二固定部６は、図１に示すように、矩形の平板の両側端をそれぞれ逆方向に曲げて形成したものであって、第一固定部５よりも高さ方向の長さが長く形成されている。第二固定部６は、平板状の第二固定プレート６１と、第二固定プレート６１の一端から一方向に折り曲げられて形成された挿入孔プレート６２と、第二固定プレート６１の他端から他方向に折り曲げられて形成された第二位置決め部６３と、を有している。第二固定プレート６１は中央に第二貫通孔６４が形成されており、この第二貫通孔６４に第二の固定用ボルト６５を挿入している。図２に示すように、第二の固定用ボルト６５を第二貫通孔６４と第二フランジ２２ｂに設けられた固定孔２６とに挿通した状態で第二の固定用ナット６６を締結して固定し、第二固定部６を第二フランジ２２ｂに固定する。第二の固定用ボルト６５も第一の固定用ボルト５５と同様に低頭ボルトが好ましい。第一の固定用ボルト５５及び第二の固定用ボルト６５がそれぞれ低頭ボルトであることで、図２に示しているように、ボルト頭同士が干渉することなく、一方の外壁パネル２ａに他方の外壁パネル２ｂを固定することができる。第二固定プレート６１はさらに挿入孔プレート６２に近い端部近傍に鉛直方向に長い溝孔６８が形成されている。この溝孔６８は、図２に示すように、挿入孔プレート６２とネジ孔プレート５２とが重なるように配置されるときに、ネジ孔プレート５２の先端が溝孔６８に入り込むことでネジ孔プレート５２と第二固定プレート６１とが干渉することが無い。
【００２３】
挿入孔プレート６２には略中央に連結ボルト４が挿入可能な挿入孔６７が設けられている。挿入孔６７は、連結ボルト４を挿入可能な幅を有し鉛直方向が長い長穴である。また、第二位置決め部６３は、第二固定プレート６１の挿入孔プレート６２と逆側の端部を当該挿入孔プレート６２とは逆方向に折り曲げた平板状であり、第二位置決め部６３を第二フランジ２２ｂの折端部２５に当接させ、第二固定プレート６１を鍔部２４に当接させると、第二貫通孔６４と固定孔２６とが整合するように配置されている。また、連結ボルト４は、ネジ孔５７に螺着する５ｍｍ径のボルトであり、頭部に六角穴が設けられている。
【００２４】
挿入孔プレート６２の挿入孔６７に連結ボルト４を挿入し、ネジ孔プレート５２のネジ孔５７に連結ボルト４を螺着させて締結することで、第一固定部５と第二固定部６とが接合し、第一固定部５が固定されている一方の外壁パネル２ａに、第二固定部６が固定されている他方の外壁パネル２ｂが固定される。
【００２５】
以下、上述の外壁パネル固定具１を用いた外壁パネル固定方法について説明する。本実施形態の外壁パネル固定方法は、互いに隣接する２つの外壁パネル２ａ，２ｂのうち、既に固定されている一方の外壁パネル２ａに、上述の外壁パネル固定具１を用いて、他方の外壁パネル２ｂを固定する外壁パネル固定方法である。一方の外壁パネル２ａは、例えば逆側に隣接している外壁パネルに固定されていてもよいし、又は垂直柱や図示しない梁などの他の部材に固定されるものであっても良い。
【００２６】
外壁パネル固定方法は、まず、図３及び図４に示すように、一方の外壁パネル２ａの側端面に設けられている第一フランジ２２ａに第一固定部５の第一固定プレート５１を固定し、他方の外壁パネル２ｂの側端面に設けられている第二フランジ２２ｂに第二固定部６の第二固定プレート６１を固定する。
【００２７】
具体的には、まず、第一位置決め部５３を、第一フランジ２２ａの折端部２５に当接させ、第一固定プレート５１を鍔部２４に当接させて、第一貫通孔５４と固定孔２６とが整合するように配置する。そして、第一固定プレート５１の中央に設けられた第一貫通孔５４と、第一フランジ２２ａに設けられた固定孔２６とに第一の固定用ボルト５５を挿通し、当該第一の固定用ボルト５５に第一の固定用ナット５６を締結して固定し、第一固定部５を第一フランジ２２ａに固定する。次に、第二位置決め部６３を、第二フランジ２２ｂの折端部２５に当接させ、第二固定プレート６１を鍔部２４に当接させて、第二貫通孔６４と固定孔２６とが整合するように配置する。そして、第二固定プレート６１の中央に設けられた第二貫通孔６４と、第二フランジ２２ｂに設けられた固定孔２６とに第二の固定用ボルト６５を挿通し、当該第二の固定用ボルト６５に第二の固定用ナット６６を締結して固定し、第二固定部６を第二フランジ２２ｂに固定する。
【００２８】
なお、第一フランジ２２ａへの第一固定部５の固定及び第二フランジ２２ｂへの第二固定部６の固定は、建築現場で行っても作業してもよく、又は、予め工場などで外壁パネル２ａ，２ｂを製造する際に組みつけておいても良い。
【００２９】
図４に示すように、第一固定部５を第一フランジ２２ａに固定し、第二固定部６を第二フランジ２２ｂに固定すると、次に、図５に示すように、他方の外壁パネル２ｂを一方の外壁パネル２ａに隣接するように配置する。具体的には、第一フランジ２２ａに固定されている第一固定部５のネジ孔プレート５２と、第二フランジ２２ｂに固定されている第二固定部６の挿入孔プレート６２とが互いに重なり合って、ネジ孔５７と挿入孔６７とが整合するように、他方のパネルを移動させる。前述の通り、第一の固定用ボルト５５及び第二の固定用ボルト６５がそれぞれ低頭ボルトであるので、互いが邪魔にならず適切な位置に他方の外壁パネル２ｂを配置することができる。
【００３０】
そして、次に、図５に示すように、一方の外壁パネル２ａと他方の外壁パネル２ｂとの間に形成された縦目地から連結ボルト４を挿入し、当該連結ボルト４を挿入孔６７に挿通させてネジ孔５７に螺合させてネジ孔プレート５２に挿入孔プレート６２を仮固定する。そして、鉛直方向に長い挿入孔６７の範囲で連結ボルト４に対して挿入孔６７を摺動させて、挿入孔プレート６２が設けられている第二固定部６及び第二固定部６が固定されている他方の外壁パネル２ｂの位置を調整する。そして、図６に示すように、レンチなどの工具７で連結ボルト４を回転させて締結し、第一固定部５と第二固定部６とを接合することによって、一方の外壁パネル２ａに他方の外壁パネル２ｂを固定する。
【００３１】
このように本実施形態の外壁パネル固定具１及び外壁パネル固定方法によると、一方の外壁パネル２ａに固定される第一固定部５と、他方の外壁パネル２ｂに固定される第二固定部６と、が連結ボルト４によって連結される構成であるので、外壁パネル２ｂの裏面側に垂直柱などの固定するための材がない場合でも、外壁パネル２ｂを固定することができ、また、一方の外壁パネル２ａと他方の外壁パネル２ｂとの間の縦目地の奥にネジ孔５７及び挿入孔６７が露出するので、連結ボルト４及び連結ボルト４を回転させるレンチなどの工具７とを縦目地から挿入して作業することができ、外壁パネルの裏側が閉塞された状態であっても外壁パネルを固定することができる。
【００３２】
次に、外壁パネル固定具１及び外壁パネル固定方法の変形例として、図７及び図８を参照しつつ、完全に閉塞されるピロティ壁の外壁パネル２ｂの固定に用いる外壁パネル固定具１及び外壁パネル固定方法について説明する。なお、上述の実施形態と同様の構成については、本変形例においては同一の符号を付して説明を省略する。この変形例のピロティ壁の外壁パネル２ａ，２ｂは、水平方向の断面を上から見た場合に２つの直角の折れ曲がりによって一方に向かって開口する溝形に形成され、裏面が互いに対向するように形成されたパネル本体２１と、パネル本体２１の開口端を閉じるように設けられるフランジ２２とから構成されている。パネル本体２１は、前述の実施形態と同様に窯業系、樹脂系、木質系、金属系などのどのような材料で形成されたものであっても良い。本実施形態においてはピロティ壁の外表面の２分の１を覆う。フランジ２２は、たとえば溝形鋼であり、パネル本体２１の開口端の内側の対向する両方の裏面に両側のフランジ部２７が固定され、パネル本体２１の開口端からウエブ部２８が露出するように形成されている。ウエブ部２８には、ボルトを挿入する固定孔２６が形成されている。一方の外壁パネル２ａは、例えば図示しない梁などに予め固定されており、他方の外壁パネル２ｂが外壁パネル固定具１を用いて一方の外壁パネル２ａに固定される。また、一方の外壁パネル２ａのフランジ２２が第一フランジ２２ａであり、他方の外壁パネル２ｂのフランジ２２が第二フランジ２２ｂである。
【００３３】
変形例の外壁パネル固定具１は、上述の実施形態の外壁パネル２ａ，２ｂと同様に一方の外壁パネル２ａの側端面に設けられた第一フランジ２２ａに固定される第一固定部５と、他方の外壁パネル２ｂの側端面に設けられた第二フランジ２２ｂに固定される第二固定部６と第一固定部５及び第二固定部６を連結する連結ボルト４とを備えている。
【００３４】
第一固定部５は、平板状の第一固定プレート５１と、第一固定プレート５１の一端から一方向に折り曲げられて形成されたネジ孔プレート５２と、を有しており、第一固定プレート５１の中央に第一貫通孔５４が形成され、第一の固定用ボルト５５を挿入している。図７に示すように、第一の固定用ボルト５５を第一貫通孔５４と第一フランジ２２ａのウエブ部２８に設けられた固定孔２６とに挿通した状態で第一の固定用ナット５６を締結して固定し、第一固定部５を第一フランジ２２ａに固定している。
【００３５】
また、第二固定部６は、平板状の第二固定プレート６１と、第二固定プレート６１の一端から一方向に折り曲げられて形成された挿入孔プレート６２と、を有している。第二固定プレート６１の中央には第二貫通孔６４が形成されており、第二の固定用ボルト６５を挿入している。図７に示すように、第二の固定用ボルト６５を第二貫通孔６４と第二フランジ２２ｂのウエブ部２８に設けられた固定孔２６とに挿通した状態で第二の固定用ナット６６を締結して固定し、第二固定部６を第二フランジ２２ｂに固定している。
【００３６】
変形例の外壁パネル固定具１を用いて一方の外壁パネル２ａに他方の外壁パネル２ｂを固定する際には、まず、一方の外壁パネル２ａの側端面に設けられている第一フランジ２２ａに第一固定部５の第一固定プレート５１を固定し、他方の外壁パネル２ｂの側端面に設けられている第二フランジ２２ｂに第二固定部６の第二固定プレート６１を固定する。すなわち、第一固定プレート５１の中央に設けられた第一貫通孔５４と、第一フランジ２２ａに設けられた固定孔２６とに第一の固定用ボルト５５を挿通し、当該第一の固定用ボルト５５に第一の固定用ナット５６を締結して固定するとともに、第二固定プレート６１の中央に設けられた第二貫通孔６４と、第二フランジ２２ｂに設けられた固定孔２６とに第二の固定用ボルト６５を挿通し、当該第二の固定用ボルト６５に第二の固定用ナット６６を締結して固定する。
【００３７】
そして、他方の外壁パネル２ｂを一方の外壁パネル２ａに隣接するように配置し、一方の外壁パネル２ａと他方の外壁パネル２ｂとの間に形成された縦目地から連結ボルト４を挿入して、当該連結ボルト４を挿入孔６７に挿通させてネジ孔５７に螺合させてネジ孔プレート５２に挿入孔プレート６２を仮固定して、挿入孔プレート６２が設けられている第二固定部６及び第二固定部６が固定されている他方の外壁パネル２ｂの位置を調整し、レンチなどの工具７で連結ボルト４を回転させて締結し、第一固定部５と第二固定部６とを接合することによって、一方の外壁パネル２ａに他方の外壁パネル２ｂを固定する。
【００３８】
この変形例においても、垂直柱や梁などの固定するための材が無い場合でも外壁パネル２ｂを固定することができ、また、縦目地の奥にボルト及びボルトを回転させるレンチなどの工具７とを挿入して作業するので、外壁パネルの裏側が閉塞された状態であっても外壁パネル２ｂを固定することができる。
【００３９】
なお、本発明の実施の形態は上述の形態に限ることなく、本発明の思想の範囲を逸脱しない範囲で適宜変更することができることは云うまでもない。
【産業上の利用可能性】
【００４０】
本発明に係る外壁パネル固定具１は、例えば住宅のピロティ柱３、ピロティ壁、外壁の出隅部、その他の外壁パネル２ｂを固定する際に好適に用いることができる。
【符号の説明】
【００４１】
１      外壁パネル固定具
２ａ    一方の外壁パネル
２ｂ    他方の外壁パネル
４      連結ボルト
５      第一固定部
６      第二固定部
２２    フランジ
２２ａ  第一フランジ
２２ｂ  第二フランジ
５１    第一固定プレート
５２    ネジ孔プレート
６１    第二固定プレート
６２    挿入孔プレート
【図１】
2018053565.tif 000003
【図２】
2018053565.tif 000004
【図３】
2018053565.tif 000005
【図４】
2018053565.tif 000006
【図５】
2018053565.tif 000007
【図６】
2018053565.tif 000008
【図７】
2018053565.tif 000009
【図８】
2018053565.tif 000010